(57)【要約】【課題】土壌改良剤を付与して土壌の改良を行う土壌改良方法において、電解生成水の機能を有効に利用して土壌改良剤の速効性を発揮させる。【解決手段】有隔膜電解にて生成される強酸性の電解生成酸性水、または、強アルカリ性の電解生成アルカリ性水を土壌改良剤の溶剤として使用し、当該土壌改良剤を同溶剤で溶解した状態で土壌に付与することからなる土壌改良方法。【選択図】  無し【特許請求の範囲】
【請求項１】
有隔膜電解にて生成される強酸性の電解生成酸性水、または、強アルカリ性の電解生成アルカリ性水を土壌改良剤の溶剤として使用し、当該土壌改良剤を同溶剤で溶解した状態で土壌に付与することを特徴とする土壌改良方法。
【請求項２】
請求項１に記載の土壌改良方法において、土壌改良剤がアルカリ性である場合には、溶剤として強酸性の電解生成酸性水を採用することを特徴とする土壌改良方法。
【請求項３】
請求項１に記載の土壌改良方法において、土壌改良剤が酸性である場合には、溶剤として強アルカリ性の電解生成アルカリ性水を採用することを特徴とする土壌改良方法。
【請求項４】
請求項１に記載の土壌改良方法において、土壌改良剤を強酸性の電解生成酸性水に溶解した土壌改良剤溶液の状態で土壌に散布する場合には、当該土壌改良剤溶液を土壌に散布した後、強アルカリ性の電解生成アルカリ性水を当該土壌に散布することを特徴とする土壌改良方法。
【請求項５】
請求項１に記載の土壌改良方法において、土壌改良剤を強アルカリ性の電解生成アルカリ性水に溶解した土壌改良剤溶液の状態で土壌に散布する場合には、当該土壌改良剤溶液を土壌に散布した後、強酸性の電解生成酸性水を当該土壌に散布することを特徴とする土壌改良方法。
【請求項６】
請求項１に記載の土壌改良方法において、アルカリ性の土壌改良剤を豊富に含有する土壌に付与する当該土壌改良剤溶液の調製は、当該土壌に強酸性の電解生成酸性水を散布して当該土壌中で当該土壌改良剤を溶解することによって行うことを特徴とする土壌改良方法。
【請求項７】
請求項１に記載の土壌改良方法において、酸性の土壌改良剤を豊富に含有する土壌に付与する当該土壌改良剤溶液の調製は、当該土壌に強アルカリ性の電解生成アルカリ性水を散布して当該土壌中で当該土壌改良剤を溶解することによって行うことを特徴とする土壌改良方法。
【請求項８】
請求項１〜７の少なくとも一項に記載の土壌改良方法において、土壌改良剤の溶剤として採用する電解生成水は、塩化カリウム、塩化カルシウムまたは塩化マグネシウムを電解質として含有する水溶液を被電解水とする有隔膜電解にて生成される強酸性の電解生成酸性水、または、強アルカリ性の電解生成アルカリ性水であることを特徴とする土壌改良方法。
【発明の詳細な説明】
【技術分野】
【０００１】
本発明は土壌改良方法に関し、特に、使用する土壌改良剤の速効性を向上させる土壌改良方法に関する。
【背景技術】
【０００２】
農作物を連作した場合や、化学肥料を多用した場合等には、土壌は酸性になり易い。酸性化された土壌で農作物を栽培すると、農作物に生育障害が発生する。特に、栽培途中の農作物がカルシウムやマグネシウムの欠乏症にかかると、果実に変色や変形が発生し、また、「しり腐れ」等の腐敗が発生して、商品価値を大きく損なうことになる。この場合には、土壌を酸性から中性に回復させる必要がある。
【０００３】
土壌を酸性から中性に回復させる方法としては、カルシウムやマグネシウム等を主要成分とする土壌改良剤を土壌に混和されるのが一般である。使用される土壌改良剤としては、具体的には、生石灰、貝殻、卵殻等のアルカリ性の土壌改良剤を挙げることができる。当該土壌改良剤は非速効性であって、土壌の中性化には、当該土壌改良剤を土壌に付与してから少なくとも１週間を必要する。
【０００４】
栽培途中の農作物に土壌の酸性化に起因する生育障害が発生した場合には、土壌を速やかに中性に回復させる必要があり、使用する土壌改良剤には速効性が要請される。これに対処するには、従来では、塩化カルシウムの水溶液を農作物の葉面に散布する方法が採られるが、塩化カルシウム水溶液には相当量の塩分が含まれることから、農作物には塩害が発生するという副作用がある、このため、塩化カルシウムの高濃度水溶液の使用は、避けなければならないことは勿論のこと、適正濃度の希薄水溶液であっても、多量の使用は避けなければならない。
【０００５】
土壌改良剤には、上記した他に、酸性の土壌改良剤がある。当該土壌改良剤は、主として硝酸、リン酸、カリ等であって、アルカリ化された土壌を中性化する機能とともに肥料としても機能する。酸性の土壌改良剤についても、速効性が要請されることは当然てある。なお、上記したアルカリ性の土壌改良剤は、土壌を中性化する機能とともに肥料としても機能する。本発明においては、肥料は土壌を富養化するものとして、土壌改良剤の範疇に入れている。
【０００６】
一方、農作物の栽培終了時においては、ときには、施肥した肥料成分の量が土壌中で局部的に異なる不均一に残留することがある。このような土壌での農作物の次期作では、農作物には、局部的に肥料成分の過剰障害や欠乏障害が発生し易いため、農作物の次期作に先立って、「えん麦」等を栽培して残留している肥料成分をできるかぎり消費させて、肥料成分を少ない量で均等の状態にする手段が採られることがある。当該手段には、時間と手間がかかるという問題がある。
【０００７】
近年、電解質を含有する水溶液を被電解水とする有隔膜電解にて生成される電解生成水の機能に着目して、当該電解生成水を農業分野で使用する試みがなされている。特に注目される用途として、電解生成水を栽培途中の農作物に散布して病原菌を殺菌し、かつ、病害虫を駆除して病害の発生を防止する方法が提案されている（特許文献１を参照）。
【０００８】
当該電解生成水を散布する方法は、従来の農薬に替えて電解生成水を農作物の葉面に散布することにより、農作物における病害の発生を防止しようとするものであり、農薬散布による農作物や土壌の汚染を防止しまたは大幅に抑制することを意図している。
【特許文献１】特開平１１−２２０９５２号公報
【発明の開示】
【発明が解決しようとする課題】
【０００９】
本発明は、電解生成水の土壌への散布が土壌を全くまたはほとんど汚染させないことに着目してなされたもので、その目的とするところは、電解生成水の機能を有効に利用して、土壌改良剤の速効性を向上させることにある。
【課題を解決するための手段】
【００１０】
本発明は、土壌改良方法に関する。本発明に係る土壌改良方法は、有隔膜電解にて生成される強酸性の電解生成酸性水または強アルカリ性の電解生成アルカリ性水を土壌改良剤の溶剤として使用し、当該土壌改良剤を同溶剤で溶解した状態で土壌に付与することを特徴とするものである。
【００１１】
本発明に係る土壌改良方法においては、土壌改良剤がアルカリ性である場合には、溶剤として強酸性の電解生成酸性水を採用し、土壌改良剤が酸性である場合には、溶剤として強アルカリ性の電解生成アルカリ性水を採用することができる。
【００１２】
また、本発明に係る土壌改良方法においては、土壌改良剤を強酸性の電解生成酸性水に溶解した土壌改良剤溶液の状態で土壌に散布する場合には、当該土壌改良剤溶液を土壌に散布した後、強アルカリ性の電解生成アルカリ性水を当該土壌に散布するようにすることができる。
【００１３】
また、本発明に係る土壌改良方法においては、土壌改良剤を強アルカリ性の電解生成アルカリ性水に溶解した土壌改良剤溶液の状態として土壌に散布する場合には、当該土壌改良剤溶液を土壌に散布した後、強酸性の電解生成酸性水を当該土壌に散布するようにすることができる。
【００１４】
また、本発明に係る土壌改良方法においては、アルカリ性の土壌改良剤を豊富に含有する土壌に付与する当該土壌改良剤溶液の調製を、当該土壌に強酸性の電解生成酸性水を散布して当該土壌中で当該土壌改良剤を溶解するようにすることができる。
【００１５】
また、本発明に係る土壌改良方法においては、酸性の土壌改良剤を豊富に含有する土壌に付与する当該土壌改良剤溶液の調製を、当該土壌に強アルカリ性の電解生成アルカリ性水を散布して当該土壌中で当該土壌改良剤を溶解するようにすることができる。
【００１６】
なお、本発明に係る土壌改良方法においては、土壌改良剤の溶剤として採用する電解生成水を、塩化カリウム、塩化カルシウム、または、塩化マグネシウムを電解質として含有する水溶液を被電解水とする有隔膜電解にて生成される電解生成水を採用することが好ましい。
【発明の効果】
【００１７】
本発明に係る土壌改良方法は、有隔膜電解にて生成される強酸性の電解生成酸性水、または、強アルカリ性の電解生成アルカリ性水を土壌改良剤の溶剤として使用し、当該土壌改良剤を同溶剤で溶解した状態で土壌に付与するものである。溶剤に溶解した状態の土壌改良剤溶液は、土壌に効率よく吸収されかつ広く拡散されて速効性を発揮し、土壌を短時間に改良する。また、土壌に効率よく吸収されて広く拡散された土壌改良剤溶液は、栽培途中の農作物に対して速効性を発揮し、農作物の生育障害を速やかに回復させ、果実の変色や変形を防止し、「しり腐れ」等の腐敗の発生を防止する。
【００１８】
本発明に係る土壌改良方法において、土壌改良剤がアルカリ性である場合には、溶剤として強酸性の電解生成酸性水を採用し、また、土壌改良剤が酸性である場合には、溶剤として強アルカリ性の電解生成アルカリ性水を採用する。
【００１９】
土壌改良剤を強酸性の電解生成酸性水に溶解した土壌改良剤溶液の状態で土壌に散布する場合には、当該土壌改良剤溶液を土壌に散布した後には、強アルカリ性の電解生成アルカリ性水を土壌に散布するようにすれば、電解生成酸性水の散布に起因する土壌の酸性化の度合いを容易に調整することができる。
【００２０】
また、土壌改良剤を強アルカリ性の電解生成アルカリ性水に溶解した土壌改良剤溶液の状態で土壌に散布する場合には、当該土壌改良剤溶液を土壌に散布した後には、強酸性の電解生成酸性水を当該土壌に散布するようにすれば、電解生成アルカリ性水の散布に起因する土壌のアルカリ性化の度合いを容易に調整することができる。
【００２１】
一方、本発明に係る土壌改良方法においては、アルカリ性の土壌改良剤を豊富に含有する土壌に付与する当該土壌改良剤溶液の調製を、当該土壌に強酸性の電解生成酸性水を散布して、当該土壌中で当該土壌改良剤を溶解することによって行うことができる。また、酸性の土壌改良剤を豊富に含有する土壌に付与する当該土壌改良剤溶液の調製を、当該土壌に強アルカリ性の電解生成アルカリ性水を散布して、当該土壌中で当該土壌改良剤を溶解することによって行うことができる。
【００２２】
これらの土壌改良剤溶液の調製方法は、対応する土壌に強酸性の電解生成酸性水や強アルカリ性の電解生成アルカリ性水を散布することにより行うことができる。従って、当該土壌改良剤溶液の調製方法を利用して、農作物の栽培終期に近い場合に、農作物を栽培途中の土壌にこれらの電解生成水を選択的に散布する。
【００２３】
これにより、土壌中の残留する肥料は、速やかに溶解されて速効性の高い溶液状態となり、農作物は、土壌中に溶液状態に残留する肥料を効率良く吸収する。このため、農作物の当該栽培手段を採れば、農作物の収穫後の土壌中に残留する肥料成分を少ない量の状態で均等化することができて、農作物の次期作での局部的な肥料の過剰障害や欠乏障害の発生を防止することができる。
【００２４】
なお、本発明に係る土壌改良方法で土壌改良剤の溶剤として採用する電解生成水としては、塩化カリウム、塩化カルシウム、または、塩化マグネシウムを電解質として含有する水溶液を被電解水とする有隔膜電解にて生成される電解生成水を採用することが好ましい。このような電解生成水を採用した場合には、電解生成水それ自体を農作物の栄養分として利用することができる利点がある。
【発明を実施するための最良の形態】
【００２５】
本発明は、強酸性の電解生成酸性水、または、強アルカリ性の電解生成アルカリ性水を土壌改良剤の溶剤として使用し、当該土壌改良剤を同溶剤で溶解した土壌改良剤溶液の状態で土壌に付与することからなる土壌改良方法である。
【００２６】
本発明に係る土壌改良方法において、土壌改良剤は、生石灰、貝殻、卵殻等の土壌改良剤（アルカリ性の土壌改良剤）、硝酸、リン酸、カリ等の土壌改良剤（酸性の土壌改良剤）、および、その他の土壌富養化剤（肥料）である。また、土壌改良剤の溶剤は、被電解水を有隔膜電解にて生成される強酸性の電解生成酸性水、および、強アルカリ性の電解生成アルカリ性水である。
【００２７】
本発明に係る土壌改良方法において、好適に採用される溶剤は、塩化カリウム、塩化カルシウム、塩化マグネシウム等の電解質を含有する無機塩の希薄水溶液を被電解水とする有隔膜電解にて生成される電解生成水である。当該有隔膜電解によれば、電解槽の陽極側電解室にて強酸性の電解生成酸性水が生成され、かつ、電解槽の陰極側電解室にて強アルカリ性の電解生成アルカリ性水が生成される。好ましくは、電解生成酸性水はｐＨが３．５以下であり、電解生成アルカリ性水はｐＨが１０以上である。
【００２８】
本発明に係る土壌改良方法においては、使用する土壌改良剤がアルカリ性の土壌改良剤である場合には、溶剤として強酸性の電解生成酸性水を採用して、当該土壌改良剤を強酸性の電解生成酸性水に溶解した土壌改良剤溶液の状態で土壌に付与する。本発明に係る土壌改良方法において、当該土壌改良剤溶液を土壌に散布する態様を採る場合には、電解生成酸性水の散布に起因する土壌の酸性化の度合いを調整する目的で、当該土壌改良剤溶液を土壌に散布した後、強アルカリ性の電解生成アルカリ性水を当該土壌に散布するようにすることができる。かかる方法を採用すれば、当該土壌改良剤溶液の散布に起因する土壌の過度の酸化を、容易に是正することができる。
【００２９】
また、本発明に係る土壌改良方法において、使用する土壌改良剤が酸性の土壌改良剤である場合には、溶剤として強アルカリ性の電解生成アルカリ性水を採用して、当該土壌改良剤を強アルカリ性の電解生成アルカリ性水に溶解した土壌改良剤溶液の状態で土壌に付与する。本発明に係る土壌改良方法において、当該土壌改良剤溶液を土壌に散布する態様を採る場合には、電解生成アルカリ性水の散布に起因する土壌のアルカリ性化の度合いを調整する目的で、当該土壌改良剤溶液を土壌に散布した後、強酸性の電解生成酸性水を当該土壌に散布するようにすることができる。これにより、当該土壌改良剤溶液の散布に起因する土壌の過度のアルカリ化を、容易に是正することができる。
【００３０】
本発明に係る土壌改良方法において、上記した各実施態様を採れば、溶剤に溶解した状態の土壌改良剤は、土壌に効率よく吸収されかつ広く拡散して速効性を発揮し、土壌を短時間に改良する。また、土壌に効率よく吸収されて広く拡散した土壌改良剤溶液は、栽培途中の農作物に対して速効性を発揮し、農作物の生育障害を速やかに回復させ、果実の変色や変形を防止し、「しり腐れ」等の腐敗の発生を防止する。また、施肥効果においても速効性を発揮する。
【００３１】
本発明に係る土壌改良方法においては、上記したように、土壌改良剤を予め溶剤に溶解いた状態で土壌に散布する態様を採ることができるが、他の態様として、土壌中に混在する土壌改良剤を土壌中で溶剤に溶解する態様を採ることができる。具体的には、酸性の土壌改良剤を豊富に含有する土壌にあっては、当該土壌に強アルカリ性の電解生成アルカリ性水を散布して当該土壌中で当該土壌改良剤を溶解する。また、アルカリ性の土壌改良剤を豊富に含有する土壌にあっては、当該土壌に強酸性の電解生成酸性水を散布して当該土壌中で当該土壌改良剤を溶解する。
【００３２】
従って、当該土壌改良剤溶液の調製方法を採用した実施態様では、農作物の栽培終期に近い場合に、農作物を栽培途中の土壌にこれらの電解生成水を選択的に散布すれば、土壌中の残留する肥料は溶解して肥料溶液となってその速効性を高める。この結果、土壌中に残留する肥料成分を農作物に効率良く吸収させることができる。これにより、農作物の収穫後の土壌中に残留する肥料成分を少ない量で均等にすることができて、農作物の次期作での肥料の局部的な過剰障害や欠乏障害の発生を防止することができる。
【実施例】
【００３３】
本実施例では、キュウリの栽培を終了した直後の酸性化した土壌（ｐＨ４．６）を、中性に復帰させるための土壌改良実験を試みた。当該実験では、土壌改良剤として卵殻の粉砕物（カルシウム分）を採用した。また、電解生成水としては、原水（ｐＨ７．５８）に塩化カリウムを溶解した希薄水溶液（０．１５重量％）を被電解水とする有隔膜電解にて生成した電解生成酸性水（ｐＨ２．５，有効塩素濃度３０ｐｐｍ）と、電解生成アルカリ性水（ｐＨ１１．３，有効塩素濃度０ｐｐｍ）を採用した。
【００３４】
土壌改良剤溶液の調製は、卵殻の粉砕物１／５０を電解生成酸性水１／１０に溶解する手段（実験１…実施例）と、卵殻の粉砕物１／５０を電解生成酸性水１／２０に溶解する手段（実験２…実施例）を採り、また、慣用手段として、卵殻の粉砕物１／５０を水１／１０に混合する慣用手段（実験３…比較例）を採用した。実験１では、土壌改良剤溶液（卵殻の粉砕物１／５０，電解生成酸性水１／１０）を調製後１時間経過した時点で土壌に混和する手段を採り、実験２では、調製後１時間経過した時点の土壌改良剤溶液（卵殻の粉砕物１／５０，電解生成酸性水１／２０）と、電解生成アルカリ性水１／２０を合わせって土壌に混和する手段を採った。また、実験３では、混和した直後の土壌改良剤混合液（土壌改良剤１／５０，水１／１０）を土壌に混和する手段を採った。これらの土壌改良実験を行った後の土壌の酸性度を酸度計で測定した。得られた結果を、下表に示す。
【００３５】
【表１】
2006067927.tif 000002
【００３６】
但し、各実験における卵殻の粉砕物の比率（１／５０）、電解生成酸性水の比率（１／１０，１／２０）、および、電解アルカリ性水の比率（１／２０）は、処理の対象とする土壌に対する重量比率である。また、実験１，２の結果は、土壌改良剤溶液を土壌に混和した後１時間経過した時点での土壌の酸性度を示し、実験３は、土壌改良剤混合液を土壌に混和した後１週間経過した時点での土壌の酸性度を示している。
【００３７】
農作物の栽培に適した土壌の酸性度は、ｐＨ５．５〜７．５の範囲であると認識されている。慣用の土壌改良処理を採用している実験３では、土壌改良剤である卵殻の粉砕物の微生物による分解に長時間を要することから、土壌改良剤混合液を混和した後１週間経過した時点でも、土壌の酸性度は処理前とは変わりがない。これに対して、本発明に係る土壌改良処理を採用している実験１，２では、土壌の酸性度の中性側への復帰は極めて速く、土壌改良効果の速効性が極めて高いことが確認される。